(57)【特許請求の範囲】
【請求項１】
ビード部間にトロイド状に延びる、少なくとも一枚のカーカスプライからなるカーカスと、カーカスのクラウン域の外周側に配設されて、コードをトレッド周方向に向けて延在させてなる少なくとも一層のベルト補強層と、ベルト補強層の外周側に配設されて、コードをトレッド周方向に対して傾斜させて直状に延在させてなるベルト層の二層以上と、該ベルト層の外周側に配設されて、トレッド接地面を形成するトレッドゴムとを具え、
前記ベルト補強層およびベルト層のそれぞれの各側縁を、前記トレッド接地面の、最もトレッドショルダ側に位置するそれぞれのショルダ周溝の形成位置よりトレッド幅方向外側に位置させるとともに、ベルト補強層の外周側に隣接するベルト層を、ベルト補強層および他のベルト層に比して幅の広い広幅ベルト層とし、
前記広幅ベルト層の内周側に隣接するベルト補強層の側部部分と、該広幅ベルト層との間に、トレッド幅方向で、該ベルト補強層の側縁側に向けて厚みを漸増させた層間ゴムを配設してなる空気入りタイヤであって、
前記層間ゴムを、１００％モジュラスの異なる二種類以上のゴム材料から構成し、該層間ゴムの、ベルト補強層の側部部分との接触域のゴム材料を、層間ゴムの残部を形成するゴム材料に比して、１００％モジュラスの大きい硬質ゴム材料とし、該硬質ゴム材料の厚みを、トレッド幅方向で、ベルト補強層の側縁側に向けて漸増させてなる空気入りタイヤ。
【請求項２】
層間ゴムの前記硬質ゴム材料の１００％モジュラスを、５．０ＭＰａ以上としてなる請求項１に記載の空気入りタイヤ。
【請求項３】
適応リムに組み付けて規定内圧を充填した姿勢で、前記広幅ベルト層の側縁位置と、該位置からトレッド幅方向内側に３０ｍｍ隔てた位置との間に、ベルト補強層の側縁および、他のベルト層の側縁のそれぞれを配置してなる請求項１または２に記載の空気入りタイヤ。
【発明の詳細な説明】
【技術分野】
【０００１】
この発明は空気入りタイヤ、なかでも、トラック、バス等の重荷重車両に用いて好適な重荷重用空気入りタイヤに関するものであり、とくに、広幅化したベルト補強層の側部部分への応力集中を抑制することで、ベルト補強層の側部部分の、その外周側に隣接するベルト層からのセパレーションを有効に防止し、タイヤの耐久性能を向上させる技術を提案するものである。
【背景技術】
【０００２】
ラジアル構造とすることができるカーカスのクラウン域の外周側に、たとえば、トレッド周方向に対して５°以下の角度でコードを延在させることによって、実質的にトレッド周方向に延びるコードからなるベルト補強層を一層以上設け、かかるベルト補強層をもってタイヤの径成長を抑制する従来タイヤとしては、特許文献１〜３に開示されたものがある。
【０００３】
なおここで、ベルト補強層を形成するコードは、トレッド周方向に直線状、ジグザグ状、波形状等の形態で延在するものとすることができるとともに、伸長率が２％前後に到るまでは小さな引張力で大きく伸長する一方、その伸長率を越えると、大きな入力によっても伸長率が少なくなる、いわゆる、初期伸びの大きい、たとえば、ラング撚りコード、ハイエロンゲーションコード等で形成することができる。
ところで、ベルト補強層のコードを、ジグザグ状、波形状等の迂曲した延在形態とすることで、コードの初期伸びを確保するときは、リム組みしたタイヤに、ＪＡＴＭＡ、ＴＲＡ、ＥＴＲＴＯ等の規格のＹＥＡＲ  ＢＯＯＫその他で規定される最高空気圧を充填した状態で、迂曲形態が消失するものとすることが、ベルト補強層に、径成長抑制機能を十分に発揮させる上で好ましい。
【０００４】
特許文献１〜３に開示された空気入りタイヤでは、操縦安定性の向上のために、コードが相互に交差して延びるベルト層を広幅として面内剪断剛性を高めることによって、タイヤが発生する横力を高めることが行なわれているが、ベルト補強層については、ショルダ側の領域に、高いたが作用を発揮するベルト補強層が存在しないことに起因する、トレッド接地面のショルダ側陸部での偏摩耗の発生を防止することを目的として、これもまた広幅化を図る傾向にある。
【０００５】
ここにおいて、このように、ベルト層およびベルト補強層のそれぞれを広幅に配設した場合は、タイヤの負荷転動に伴う内圧増加時に、それぞれのコードの、トレッド周方向に対する延在角度の相違に基く、ベルト補強層と、それの外周側に隣接するベルト層とのトレッド周方向の伸縮量の差に起因して、とくに、周方向伸縮量の差が顕著となる、ベルト補強層の側部部分で、前記ベルト層からのセパレーションが生じることがある。
【０００６】
このため従来、ベルト補強層の側部部分と、外周側の隣接ベルト層との間に層間ゴムを配設し、この層間ゴムによって、タイヤの負荷転動時の、ベルト補強層と隣接ベルト層との周方向伸縮差によって生じるトレッド周方向の層間剪断歪を吸収して、かかるセパレーションを防止するものとしている（たとえば特許文献４参照）。
【先行技術文献】
【特許文献】
【０００７】
【特許文献１】特開２０００−６２４１１号公報
【特許文献２】特開２００９−１８４３７１号公報
【特許文献３】特開２００９−１２６３６３号公報
【特許文献４】特開２００５−３１３８３７号公報
【発明の概要】
【発明が解決しようとする課題】
【０００８】
ところで、ベルト補強層と、それの外周側に隣接するベルト層との間に、層間ゴムを配設した従来のタイヤでは、ベルト補強層と隣接ベルト層との間で生じる上述した層間剪断歪を吸収する層間ゴムの、トレッド周方向の大きな弾性変形の故に、トレッド周方向に伸縮変形し難いベルト補強層の側部部分に応力集中が生じ、また、ベルト補強層を広幅化したことによる、トレッドショルダ側陸部の接地圧の増加に伴って層間ゴムの発熱量が増加することに原因をおく層間ゴムそれ自体の熱劣化とも相俟って、ベルト補強層の側部部分でのセパレーションが発生し易く、この結果として、タイヤの耐久性能が低下するという問題があった。
【０００９】
この発明は、このような問題点を解決することを課題とするものであり、それの目的とするところは、ベルト補強層と、それの外周側に隣接するベルト層との周方向伸縮差による層間剪断歪を、層間ゴムで十分に吸収してなお、ベルト補強層の側部部分への応力集中、および、層間ゴムそれ自体の熱劣化を効果的に抑制することにより、ベルト補強層のセパレーションを防止し、耐久性能を向上させたタイヤを提供するにある。
【課題を解決するための手段】
【００１０】
この発明の空気入りタイヤは、ビード部間にトロイド状に延びる、少なくとも一枚のカーカスプライからなるカーカスと、カーカスのクラウン域の外周側に配設されて、コードをトレッド周方向に向けて延在させてなる少なくとも一層のベルト補強層と、ベルト補強層の外周側に配設されて、コードをトレッド周方向に対して傾斜させて直状に延在させてなるベルト層の二層以上と、該ベルト層の外周側に配設されて、トレッド接地面を形成するトレッドゴムとを具え、
前記ベルト補強層およびベルト層のそれぞれの各側縁を、前記トレッド接地面の、最もトレッドショルダ側に位置するそれぞれのショルダ周溝の形成位置よりトレッド幅方向外側に位置させるとともに、ベルト補強層の外周側に隣接するベルト層を、ベルト補強層および他のベルト層に比して幅の広い広幅ベルト層とし、
前記広幅ベルト層の内周側に隣接するベルト補強層の側部部分と、該広幅ベルト層との間に、トレッド幅方向で、該ベルト補強層の側縁側に向けて厚みを漸増させた層間ゴムを配設してなるものであって、
前記層間ゴムを、１００％モジュラスの異なる二種類以上のゴム材料から構成し、該層間ゴムの、ベルト補強層の側部部分との接触域のゴム材料を、層間ゴムの残部を形成するゴム材料に比して、１００％モジュラスの大きい硬質ゴム材料とし、該硬質ゴム材料の厚みを、トレッド幅方向で、ベルト補強層の側縁側に向けて漸増させてなるものである。
ここで、「ベルト補強層の側部部分」とは、トレッド幅方向外側で、該外側に向かうに従い前記広幅ベルト層から離隔するベルト補強層の、広幅ベルト層から離隔する部分をいうものとする。
なお、ここでいう「１００％モジュラス」は、室温で、ＪＩＳ  Ｋ６２５１に規定する引張り試験を行って算出した１００％伸張時の引張モジュラスを意味する。
【００１２】
また好ましくは、層間ゴムの前記硬質ゴム材料の１００％モジュラスを、５．０ＭＰａ、より好ましくは６．０ＭＰａ以上とする。
【００１３】
そしてまた好ましくは、適応リムに組み付けて規定内圧を充填した姿勢で、前記広幅ベルト層の側縁位置と、該位置からトレッド幅方向内側に３０ｍｍ隔てた位置との間に、ベルト補強層の側縁および、他のベルト層の側縁のそれぞれを配置する。
【００１４】
ここにおいて、「適応リム」とは、タイヤサイズに応じて下記の規格に規定されたリムをいい、「規定内圧」とは、下記の規格において、最大負荷能力に対応して規定される空気圧をいい、「最大負荷能力」とは、下記の規格でタイヤに負荷されることが許容される最大の質量をいう。
そして、その規格とは、タイヤが生産または使用される地域に有効な産業規格によって決められたものであり、例えば、アメリカ合衆国では、“ＴＨＥ  ＴＩＲＥ  ＡＮＤ  ＲＩＭ  ＡＳＳＯＣＩＡＴＩＯＮ  ＩＮＣ．のＹＥＡＲ  ＢＯＯＫ”であり、欧州では、“Ｔｈｅ  Ｅｕｒｏｐｅａｎ  Ｔｙｒｅ  ａｎｄ  Ｒｉｍ  Ｔｅｃｈｎｉｃａｌ  ＯｒｇａｎｉｚａｔｉｏｎのＳＴＡＮＤＡＲＤＳ  ＭＡＮＵＡＬ”であり、日本では日本自動車タイヤ協会の“ＪＡＴＭＡ  ＹＥＡＲ  ＢＯＯＫ”である。
【発明の効果】
【００１５】
この発明の空気入りタイヤによれば、層間ゴムの、ベルト補強層との接触域のゴム材料を、残部のゴム材料に比して１００％モジュラスの大きい硬質ゴム材料としたことにより、タイヤの負荷転動時に、ベルト補強層と、そのベルト補強層の外周側に隣接する広幅ベルト層との間の層間ゴムの、残部のゴム材料がとくに大きく弾性変形して、コードの延在角度の相違に起因する大きな層間剪断歪を吸収し、この一方で、ベルト補強層との接触域の、１００％モジュラスの大きい硬質ゴム材料は、残部ゴム部材の大きな弾性変形の、ベルト補強層への伝播を遮断して、ベルト補強層の側部部分への応力集中を緩和するべく機能して、その側部部分の応力集中を抑制することができる。
また、層間ゴムの一部を形成するゴム材料を、１００％モジュラスの大きい硬質ゴム材料としたことで、層間ゴムの全体を１００％モジュラスの小さいゴム材料から形成した場合に比して、層間ゴムの発熱量を低減させることができるので、ベルト補強層の広幅化に起因して、トレッドショルダ側陸部の接地圧が増加しても、層間ゴムの熱劣化を有効に抑制することができる。
これがため、このタイヤによれば、ベルト補強層のセパレーションを効果的に防止することができ、耐久性能が大きく高まることになる。
【００１６】
ここにおいて、層間ゴムの硬質ゴム材料の厚みを、トレッド幅方向で、ベルト補強層の側縁側に向けて漸増させたときは、タイヤの負荷転動に際し、大きな層間剪断変形が生じる、ベルト補強層の側縁への応力集中を、硬質ゴム材料で十分に緩和させてなお、層間剪断変形を吸収する残部ゴム材料の所要の体積を確保することができるので、タイヤの耐久性能を一層向上させることができる。
【００１７】
ここで、層間ゴムの残部のゴム材料の１００％モジュラスを、たとえば５．０ＭＰａ未満とするのに対し、層間ゴムの硬質ゴム材料の１００％モジュラスを、５．０ＭＰａ以上としたときは、層間ゴムの硬質ゴム材料により、残部ゴム材料の大きな弾性変形に起因する、ベルト補強層の側部部分の変形が十分に軽減されて、ベルト補強層の側部部分でのセパレーションをより有効に防止することができる。
これを言い換えれば、硬質ゴム材料の１００％モジュラスを５．０ＭＰａ未満とした場合には、硬質ゴム部材と残部ゴム部材との１００％モジュラスの差があまりないことから、上述したような、硬質ゴム材料による、ベルト補強層の側部部分への応力集中を抑制する効果および、層間ゴムそれ自体の熱劣化を防止する効果を十分に得ることができない。
【００１８】
ところで、適応リムに組み付けて規定内圧を充填した姿勢で、前記広幅ベルト層の側縁位置と、該位置からトレッド幅方向内側に３０ｍｍ隔てた位置との間に、ベルト補強層の側縁および、他のベルト層の側縁のそれぞれを配置したときは、ベルト補強層の側縁位置にとくに集中する層間剪断歪を効果的に低減させることが可能であり、ベルトセパレーション耐久性を向上させることができる。
【図面の簡単な説明】
【００１９】
【図１】この発明の実施の形態をトレッド半部について示す、トレッド幅方向の部分断面図である。
【図２】実施例タイヤの要部を拡大して示す、トレッド幅方向の部分断面半図である。
【発明を実施するための形態】
【００２０】
図１に示すところにおいて、１は、図示しない一対のビード部間にトロイダルに延在する、たとえば一枚のカーカスプライからなる、ラジアル構造とすることができるカーカスを示し、２および３のそれぞれは、カーカス１のクラウン域の外周側に配設されて、たとえば、並列に配置した複数本の直状もしくは迂曲コードをゴム被覆した、３〜２０ｍｍ幅のリボン状のストリップを、タイヤ軸線の周りに螺旋状に巻回して形成してなり、トレッド周方向に対して５°以下の角度で延在するコード（ここでは、「トレッド周方向に延在するコード」という）にて形成される、ここでは二層のベルト補強層のそれぞれを示す。
なお、ベルト補強層は、一層もしくは三層以上配設することも可能である。
【００２１】
ここで、ベルト補強層２、３のコードは、前述したような、初期延びの大きい、ラング撚りスチールコードやハイエロンゲーションスチールコード、あるいは有機繊維コード等とすることができる他、トレッド周方向に対してジグザグ状、クランク状、波形状等の迂曲形態で延在するスチールコードとすることもできる。
なおここで、ベルト補強層２、３のコードを、初期伸びの大きいコードとする場合は、リム組みしたタイヤに、ＪＡＴＭＡ、ＴＲＡ、ＥＴＲＴＯ等の規格のＹＥＡＲ  ＢＯＯＫその他で規定される最高空気圧を充填した状態で初期伸びが消失するものとし、また、ジグザグ状等の迂曲形態で延在するコードとする場合は、上記の最高空気圧を充填した状態で迂曲形態が消失するものとすることが、ベルト補強層２、３に、径成長抑制機能を十分に発揮させる上で好ましい。
【００２２】
そして、ベルト補強層３の外周側には、トレッド周方向に対して、たとえば４０〜５０°の角度で傾斜して直線状に延びるコードからなるベルト層の二層以上、図では二層のベルト層４、５を配設し、ここでは、これらのベルト層４、５のそれぞれを形成するコードを、トレッド周方向に対して相互に逆方向に延在させる。
また、このようなベルト層４、５のさらに外周側にはトレッド接地面を形成するトレッドゴム６を配設し、かかるトレッドゴム６に、たとえば、トレッド半部で四本の周溝７〜１０を形成する。
【００２３】
ここにおいて、この空気入りタイヤでは、面内剪断剛性を高めて、タイヤが発生する横力を高めるとともに、トレッド接地面のショルダ側陸部での偏摩耗を防止すること等を目的として、ベルト補強層２、３およびベルト層４、５のそれぞれの側縁を、トレッド接地面の、最もトレッドショルダ側に位置するショルダ周溝７の形成位置よりトレッド幅方向外側に位置させるとともに、ベルト補強層３の外周側に隣接するベルト層４を、ベルト補強層２、３および他のベルト層５のいずれにも比して幅の広い広幅ベルト層とする。
【００２４】
またここでは、このように幅広く配設したベルト層４の内周側に隣接するベルト補強層３の側部部分３ａと、その広幅ベルト層４との間に、トレッド幅方向で、該ベルト補強層３の側縁側に向けて厚みを漸増させた層間ゴム１１を配設し、この層間ゴム１１に、タイヤの負荷転動時に、コードの、トレッド周方向に対する傾斜角度が大きい広幅ベルト層４が、コードの同様の傾斜角度が小さいベルト補強層３に比して、トレッド周方向に大きく伸縮変形することに起因する、それらの層間の剪断変形を吸収させることで、ベルト補強層３の、とくに側部部分３ａでの、広幅ベルト層４からのセパレーションを防止する。
【００２５】
なお、図に示すところでは、この層間ゴム１１は、トレッド幅方向にほぼ平行に延びる広幅ベルト層４と、実質的にカーカス１の外周面に沿って延びるベルト補強層２、３とによって、ベルト補強層３の側部部分で形成される、広幅ベルト層４とベルト補強層３との離隔領域に設けたものであり、層間ゴム１１のトレッド幅方向の断面形状は、略三角形状をなす。
【００２６】
このように、ベルト補強層３の側部部分３ａと広幅ベルト層４との間に、層間ゴム１１を設けた場合は、タイヤの負荷転動時に、層間ゴム１１が、広幅ベルト層４の伸縮変形を受けて大きく弾性変形するため、層間ゴム１１のこの大きな弾性変形によって、トレッド周方向に伸縮し難いベルト補強層３の側部部分３ａに応力の集中を招くおそれがあることから、この発明の空気入りタイヤでは、層間ゴム１１を、１００％モジュラスの異なる二種類以上、図では二種類のゴム材料から構成し、層間ゴム１１の、ベルト補強層３の側部部分３ａとの接触域のゴム材料１１ａを、残部を形成するゴム材料１１ｂに比して、１００％モジュラスの大きい硬質ゴム材料とする。
【００２７】
このことによれば、層間剪断変形に対し、１００％モジュラスの小さい残部ゴム材料１１ｂが、大きく弾性変形して、ベルト補強層３の側部部分３ａと広幅ベルト層４との間の剪断変形を十分に吸収するのに対し、ベルト補強層３との接触域に位置する硬質ゴム材料１１ａは、残部ゴム材料１１ｂの大きな弾性変形の、ベルト補強層３の側部部分３ａへの伝播を遮断するべく機能することになる。
しかもここでは、層間ゴム１１の一部を、１００％モジュラスの大きい硬質ゴム材料１１ａとしたことで、層間ゴム１１全体としての変形量が減少し、層間ゴムそれ自体の発熱量もまた低減されることになるので、層間ゴムの熱劣化をも有効に抑制することができる。
これらの結果として、このタイヤによれば、ベルト補強層３の側部部分３ａでのセパレーションを効果的に防止して、耐久性能を大きく高めることができる。
【００２８】
ここで、層間ゴム１１の硬質ゴム材料１１ａの厚みは、トレッド幅方向に均一なものとしたり、あるいは、トレッドセンタ側に向けて漸増させたりすることも可能であるが、硬質ゴム材料１１ａによって、大きな層間剪断変形が生じる、ベルト補強層３の側縁への応力集中を十分に緩和させてなお、層間剪断変形を吸収する残部ゴム材料１１ｂの所要の体積を確保するとの観点からは、硬質ゴム材料１１ａの厚みを、図１に示すように、トレッド幅方向で、ベルト補強層３の側縁側に向けて漸増させることが好ましい。
【００２９】
またここで、残部ゴム材料１１ｂの１００％は、５．０ＭＰａ未満とすることができるのに対し、硬質ゴム材料１１ａの１００％モジュラスは、５．０ＭＰａ以上とすることが、ベルト補強層３に、上述したようなセパレーション防止機能をより効果的に発揮させる上で好ましい。
そしてまた、硬質ゴム材料の１００％モジュラスは、ベルト補強層３のコーティングゴムの、５．０〜８．０ＭＰａとすることができる１００％モジュラス以下とすることが好ましい。
なおここで、より好ましくは、硬質ゴム材料１１ａの１００％モジュラスを、コーティングゴムの１００％モジュラス未満で、かつ、残部ゴム材料１１ｂの１００％モジュラスを超えるものとする。
【００３０】
ここにおいて、トレッド幅方向で、ベルト補強層３の側縁側に向けて厚みを漸増させた層間ゴム１１は、ゴムボリュームの増大に伴う発熱量の増大を抑制するため、適応リムに組み付けて規定内圧を充填した姿勢で、ベルト補強層３の側縁と対応する位置、つまり、ベルト補強層３の側縁を通ってタイヤ中心軸線と直交する線分上で５ｍｍ程度の厚みを有するものとすることができ、なかでも、同様に厚みを漸増させた硬質ゴム材料１１ａの、ベルト補強層３の側縁対応位置での厚みは、１ｍｍ程度とすることができる。
また、同様の内圧充填姿勢で、硬質ゴム材料１１ａは、トレッド幅方向で、たとえば２０ｍｍ〜３０ｍｍの範囲にわたって配設することができる。
なお、硬質ゴム材料１１ａは、少なくとも、ベルト補強層３の側部部分３ａとの接触域に配置されていればよく、図１に示すように、硬質ゴム材料１１ａを、ベルト補強層３の側縁よりもトレッド幅方向外側の領域まで配設することは必須の構成ではない。
【００３１】
ところで、ベルト補強層３の側縁およびベルト層５の側縁のそれぞれは、適応リムに組み付けたタイヤに規定内圧を充填した姿勢で、広幅ベルト層４の側縁から、トレッド幅方向内側に３０ｍｍ隔てた位置の間に配置することが好ましい。
また、タイヤのショルダー域の偏摩耗を十分有効に防止するために、好ましくは、ベルト補強層３の幅を、トレッド幅の８０％以上とし、また、操縦安定性等の運動性能の確保のためには、ベルト補強層３の外周側に隣接する広幅ベルト層４の幅を、トレッド幅の８０％以上とし、その他のベルト層、図ではベルト層５の幅を、トレッド幅の８０％以上とすることが好ましい。
そしてまた好ましくは、図では二層のベルト層４、５のコード交錯幅を、トレッド幅の８０％以上とする。
【実施例１】
【００３２】
トラック・バス用の、サイズが４９５／４５Ｒ２２．５のタイヤを、１７．００×２２．５のリムに組み付けるとともに、充填空気圧を９００Ｐａ、負荷荷重を５６．８ｋＮの条件の下、以下の二種類の試験をそれぞれ行い、それらの各試験結果を、従来タイヤ１をコントロールとして指数評価し、諸元とともに表１に示す。
【００３３】
(耐久性試験)
ベルト補強層のセパレーション故障が発生するまで走行させ、その走行距離を測定した。表１に示す耐久距離は、指数値が大きいほど故障までの走行距離が長く、耐久性能に優れることを示す。
（摩耗試験）
速度７３ｋｍ／ｈで回転させたドラム上で、供試タイヤを、所定の速度で一定距離走行させ、走行後の各供試タイヤのトレッドゴムの摩耗量を測定して評価した。表１に示す耐摩耗性能は、指数値が小さいほど摩耗量が少なく、耐摩耗性能に優れることを示す。
【００３４】
なお、実施例タイヤ１〜３のそれぞれは、図２に示すように、層間ゴム１１の厚みを、ベルト補強層３の側縁側に向けて漸増させるとともに、層間ゴム１１を、ベルト補強層３の側縁位置で終端させたこと以外は、図１に示す構造を有するものとし、また、従来タイヤ１〜３のそれぞれは、層間ゴムから、硬質ゴム材料部分を省いて、層間ゴム全体を１００％モジュラスの小さいゴム材料で形成したことを除いて、実施例タイヤ１と同様の構成を有するものとした。
【００３５】
ここで、表１に示す、層間ゴムの厚みは、層間ゴム全体の、ベルト補強層の側縁対応位置でのゴム厚みをいうものである。
またここで、表１の、ベルト層のそれぞれのコード角度の項目における、「Ｒ４０」は、ベルト層の展開平面視で、コードが、タイヤ周方向に対して右上がりの４０°の姿勢で延在することを意味し、この一方で、「Ｌ４０」は、同様の平面視で、コードが、タイヤ周方向に対して左上がりの４０°の姿勢で延在することを意味する。
【００３６】
【表１】
0005694713.tif 000002
【００３７】
表１の結果から、いずれの実施例タイヤ１〜３も、従来例タイヤ１〜３に比して、耐久距離が長く、また、摩耗量が少ないことから、この発明によれば、ベルト補強層のセパレーションを防止して、タイヤの耐久性能を高めることができるとともに、トレッド接地面の摩耗量を低減できることが解かった。
【符号の説明】
【００３８】
１  カーカス
２、３  ベルト補強層
３ａ  側部部分
４、５  ベルト層
６  トレッドゴム
７〜１０  周溝
１１  層間ゴム
１１ａ  硬質ゴム材料
１１ｂ  残部ゴム材料
【図１】
0005694713.tif 000003
【図２】
0005694713.tif 000004